(57)【特許請求の範囲】
【請求項１】
前方に開口し奥行きよりも左右方向の長さの方が長い収納空間を内部に有するキャビネットと、前記収納空間に出入りしごみ収容体を保持する、前面に化粧パネルを有する保持体と、前記ごみ収容体の臭気を前記収納空間内部に循環させる気流発生装置とを備え、
前記気流発生装置は前記収納空間の左右方向の内側面のいずれか一方の上部に設けられ、前記気流発生装置の送風口は、前記収納空間の左右方向の前記内側面の他方に面する前記気流発生装置の側面に設けられ、前記保持体の上方、下方、左方および右方には、前記気流発生装置からの送風が流れるように空間が形成されることを特徴とするごみ収容体の収納装置。
【請求項２】
前記気流発生装置は、吸引口と前記送風口との間に脱臭フィルターを備えることを特徴とする請求項１記載のごみ収容体の収納装置。
【請求項３】
前記気流発生装置に備えられる静電霧化装置は、霧化電極と、前記霧化電極に高電圧を印加するための高電圧印加部と、前記霧化電極上に水を供給する水供給手段を備え、前記水供給手段により供給された水に高電圧を印加して、帯電微粒子水を発生させることを特徴とする請求項１または請求項２に記載のごみ収容体の収納装置。
【発明の詳細な説明】
【技術分野】
【０００１】
本発明は、ごみ収容体を保持でき移動自在な保持体を収納するごみ収容体の収納装置に関するものである。
【背景技術】
【０００２】
従来から、ごみ収容体を保持でき移動自在な保持体があり、その保持体を収納する脱臭収納庫を備えたものが知られている（例えば特許文献１参照）。
【先行技術文献】
【特許文献】
【０００３】
【特許文献１】特開２００６−３４８７８号公報
【発明の概要】
【発明が解決しようとする課題】
【０００４】
ところで、特許文献１に記載されている脱臭収納庫は、システムキッチンのカウンターの下面に脱臭装置が取付けられている。そして、脱臭装置の下部には仕切り板を介して、収納空間が設けられ、その収納空間にごみ箱を載置したワゴンが出入りしている。ワゴンを引き出す方向を前方向とすると、脱臭装置の前面には、排気口が設けられ、脱臭装置の下面後部には臭気吸気口が設けられている。
【０００５】
仕切り板には貫通した孔が設けられ臭気吸気口と収納空間を連通し、ごみ等から発生する臭気は孔を通って臭気吸気口へと流入する。そして、脱臭装置内の脱臭媒体を介して臭気が浄化され、浄化された空気が排気口を通って室内へと排出されていた。しかし、脱臭媒体を介して臭気を浄化しているため、脱臭媒体の取付や維持にコストがかかってしまっていた。
【０００６】
本発明は上記従来の問題点に鑑みて発明したものであって、その目的とするところは、脱臭媒体を使用せず、臭気を室内へ漏らし難いごみ収容体の収納装置を提供することを課題とするものである。
【課題を解決するための手段】
【０００７】
上記課題を解決するために、本発明は、以下のような構成とする。
【０００８】
本発明のごみ収容体の収納装置は、前方に開口し奥行きよりも左右方向の長さの方が長い収納空間を内部に有するキャビネットと、前記収納空間に出入りしごみ収容体を保持する、前面に化粧パネルを有する保持体と、前記ごみ収容体の臭気を前記収納空間内部に循環させる気流発生装置とを備え、前記気流発生装置は前記収納空間の左右方向の内側面のいずれか一方の上部に設けられ、前記気流発生装置の送風口は、前記収納空間の左右方向の前記内側面の他方に面する前記気流発生装置の側面に設けられ、前記保持体の上方、下方、左方および右方には、前記気流発生装置からの送風が流れるように空間が形成されることを特徴とする。
【００１０】
また、前記気流発生装置は、吸引口と送風口との間に脱臭フィルターを備えることが好ましい。
【００１１】
また、前記気流発生装置に備えられる静電霧化装置は、霧化電極と、前記霧化電極に高電圧を印加するための高電圧印加部と、前記霧化電極上に水を供給する水供給手段を備え、前記水供給手段により供給された水に高電圧を印加して、帯電微粒子水を発生させることが好ましい。
【発明の効果】
【００１３】
本発明のごみ収容体の収納装置は、脱臭媒体を使用せず、臭気を室内へと漏らし難くすることができる。
【図面の簡単な説明】
【００１４】
【図１】本実施形態における、ごみ収容体の収納装置の斜視図である。
【図２】（ａ）は本実施形態における、ごみ収容体の収納装置の正面図であり、（ｂ）はごみ収容体の収納装置のＡ−Ａ断面図である。
【図３】本実施形態における、気流発生装置の斜視図である。
【図４】本実施形態における、静電霧化装置の構成図である。
【図５】本実施形態における、スライド部の要部拡大正面図である。
【発明を実施するための形態】
【００１５】
以下、本発明を添付図面に示す実施形態に基いて説明する。
【００１６】
図１に示す本実施形態のごみ箱やごみ袋であるごみ収容体６の収納装置は、収納空間４１を内部に有するキャビネット４を備えている。そして、収納空間４１に出入りし、ごみ収容体６を保持し、前方に化粧パネル１８が設けられる保持体１が備えられている。なお、ここで前後方向は、使用者がキャビネット４の方を向いたときの手前側を前方向、奥側を後方向とし、左右方向は、使用者がキャビネット４の方を向いたときの左右とする。
【００１７】
キャビネット４の形状は、前方が開口し底板が無い矩形体となっている。なお、背板が無くてもよい。また背板が無い場合は、キャビネット４を壁に当接させ、背板の代わりとしている。
【００１８】
収納空間４１には、図２に示すガイドレール部４２と図３に示す気流発生装置２とが設けられている。
【００１９】
ガイドレール部４２は、収納空間４１の左右側面の上下方向の中間部に備えられ、収納空間４１の前端部から後端部に亘って設けられている。収納空間４１の右側面に取付けられているガイドレール部４２は、左方向に開口した凹状のレール部となっている。また同様に、収納空間４１の左側面に取付けられているガイドレール部４２は、右方向に開口した凹状のレール部となっている。
【００２０】
ガイドレール部４２は、がたつくことなく収納空間４１に保持体１を搬入し易いように設けられ、またガイドレール部４２があることにより、キャビネット４の内側壁に傷がつき難くなっている。
【００２１】
ガイドレール部４２の前端部には、保持体１が収納空間４１に搬入された際、保持体１が意図せず収納空間４１から出ていかないように、収納空間４１内に留めて置くためのストッパー（図示せず）が設けられてもよい。
【００２２】
また、ガイドレール部４２の前端部には、保持体１を収納空間４１に搬入する際、キャビネット４を傷つけず且つガイドレール部４２に滑らかに挿入させるための受け部（図示せず）が設けられている。右側の受け部を例に挙げると、受け部はキャビネット４の前側面より突出しており、内面は前側に行く程右側へ傾斜する形状となっている。左側の形状も同様になっている。なお、受け部は本実施形態に限定されない。
【００２３】
気流発生装置２は、収納空間４１内の空気を外部に漏らさないように循環させる装置であり、収納空間４１の左右方向の内側面のいずれか一方の上部に備えられ、ガイドレール部４２より上方に設けられる。本実施形態では、空気を循環させるために、ファンとモータを備える送風装置２１と、送風装置２１と電気的に接続され送風装置２１の動作を制御するマイクロコンピュータからなる制御部２２と、ハニカム形状の脱臭フィルター（図示せず）を備える。その他に気流発生装置２は静電霧化装置３を備えている。
【００２４】
気流発生装置２により作られる気流は、次のようになっている。例として本実施形態のように収納空間４１の内側面の右上部に気流発生装置２が取付けられた場合を考える。まず、気流発生装置２から送風が起こり、その送風の影響で収納空間４１の内側面の左上部に流れる気流７１が発生する。気流発生装置２の側面に設けられた送風口２３より発生し左上部に到達した気流７１は、キャビネット４の左側内側面に衝突し、収納空間４１の左下底面（床面）へと収納空間４１の左側面に沿って流下する気流７２となる。収納空間４１の左下底面に衝突した気流７２は、収納空間４１の右下側面に向う気流７３となる。収納空間４１の右下側面に衝突した気流７３は、収納空間４１の気流発生装置２の下部へと向う気流７４となる。気流発生装置２の下部へと気流７４が到達すると、気流発生装置２の下面に設けられた吸引口より流入し、そして、気流発生装置２の送風口２３から流出し、また同様の気流となって循環する。
【００２５】
気流発生装置２が設けられていないと、収納空間４１内の空気は拡散し、キャビネット４の隙間から漏れ出たりしてしまう。しかし、気流発生装置２が設けられることにより、上記のように気流が収納空間４１内を循環するので、収納部内で空気が拡散し難くなり、キャビネット４の隙間から空気が漏れ難くなる。従って、ごみ収容体６から発せられる臭気が、室内に拡散し難くなっている。また、気流発生装置２が吸引口と送風口２３との間に脱臭フィルターを備えることで、循環する気流は脱臭フィルターを通過する。脱臭フィルターが臭気を吸収することで、さらに臭気が、室内に拡散し難くなっている。
【００２６】
なお、送風口２３は、側面に限らず気流発生装置２の背面（後方の面）に設けてもよい。気流発生装置２の背面に送風口を設けた場合、この送風口より発生した風は、キャビネット４の背板４３及び側板４４に衝突し、収納空間４１の内側面の左上部に流れる気流７１が発生する。そして気流７２、気流７３、気流７４という順番に収納空間を循環する。
【００２７】
静電霧化装置３は図４に示すように、高電圧印加部３１と、高電圧印加部３１で発生させた高電圧が印加される霧化電極３２と、霧化電極３２と対向する対向電極３３と、霧化電極３２に霧化させるべき水を供給する水供給手段３４とを備えている。
【００２８】
霧化電極３２と対向電極３３は、ケーシングとなる略筒状体をした筐体３５に取付けられる。筐体３５の一方の端縁には対向電極３３が取付けられ、他方の端縁は水供給手段３４が取付けられる。本実施形態では、水供給手段３４は冷却手段によって空気中の水蒸気を結露させるもので、冷却手段には半導体熱交換素子であるペルチェモジュールを用いている。ペルチェモジュールの吸熱部分を熱伝導率が高く且つ電気伝導率が低い絶縁材料等の材料からなる冷却部に接続している。そして、ペルチェモジュールの放熱部分を熱伝導率が高い材料からなり、フィンを有する放熱部に接続して水供給手段３４が形成される。冷却部は、筒状をした筐体３５の他方の端縁に取付けられ、筐体３５内に位置する部分が内部に向けて円錐台状に隆起する基台部３６となっており、霧化電極３２が立設される。
【００２９】
霧化電極３２は、熱伝導率が高く且つ電気伝導率が高い例えば銅のような材料からなり、円柱状に形成してあり、その先端部３８は鋭利な円錐状となっている。そして、霧化電極３２の基端部を基台部３６の平面視中央部に埋設して、霧化電極３２の先端部３８を筐体３５のもう一方の端縁側に向けて筐体３５の途中まで突出させている。
【００３０】
対向電極３３は円環状をしたもので、筒状をした筐体３５の一方の端縁に取付けられ、中央の穴部３７を介して筐体３５の内外が連通されている。この対向電極３３と霧化電極３２とは、平面視において対向電極３３の中央の穴部３７の中心部に霧化電極３２が配置され、側面視において対向電極３３と霧化電極３２の先端部３８とが一定間隔をおいて配置されている。そして、高電圧印加部３１によって対向電極３３と霧化電極３２との間に高電圧が印加される。なお、対向電極３３は任意の構成要素である。
【００３１】
静電霧化装置３を気流発生装置２に備えることにより、静電霧化装置３から発生した帯電微粒子水に含まれるスーパーオキサイドラジカルやヒドロキシラジカルが、脱臭効果や除菌効果、アレルゲン不活性化等の効果を付加することができる。
【００３２】
図１や図２に示すようにごみ収容体６は、矩形枠体である保持体１に保持される。保持体１の下部は下部左バー１１ａと、下部前バー１１ｂと、下部右バー１１ｃと、下部後バー１１ｄとで形成されている。そして、下部左バー１１ａの前端が下部前バー１１ｂの左端と、下部前バー１１ｂの右端が下部右バー１１ｃの前端と、下部右バー１１ｃの後端が下部後バー１１ｄの右端と、下部後バー１１ｄの左端が下部左バー１１ａの後端と、溶接又はネジ等で夫々接合されている。
【００３３】
保持体１の上部は、上部左バー１２ａと、上部前バー１２ｂと、上部右バー１２ｃと、上部後バー１２ｄとで形成されている。そして、上部左バー１２ａの前端が上部前バー１２ｂの左端と、上部前バー１２ｂの右端が上部右バー１２ｃの前端と、上部右バー１２ｃの後端が上部後バー１２ｄの右端と、上部後バー１２ｄの左端が上部左バー１２ａの後端と、溶接又はネジ等で夫々接合されている。
【００３４】
また、下部左バー１１ａと下部前バー１１ｂとの接合部と上部左バー１２ａと上部前バー１２ｂの接合部とは第１接合バー１３ａと溶接又はネジ等で接合される。下部前バー１１ｂと下部右バー１１ｃとの接合部と上部前バー１２ｂと上部右バー１２ｃの接合部とは第２接合バー１３ｂと溶接又はネジ等で接合される。下部右バー１１ｃと下部後バー１１ｄとの接合部と上部右バー１２ｃと上部後バー１２ｄの接合部とは第３接合バー１３ｃと溶接又はネジ等で接合される。下部後バー１１ｄと下部左バー１１ａとの接合部と上部後バー１２ｄと上部左バー１２ａの接合部とは第４接合バー１３ｄと溶接又はネジ等で接合される。なお、形状や構成は、本実施形態に限定されない。
【００３５】
保持体１の四隅の下部にはキャスター１４が取付けられており、移動自在に動かすことができる。下部左バー１１ａと下部右バー１１ｃとの前後方向の中間部の左右方向に下部支持部１５が設けられており、ごみ収容体６を支持している。なお、本実施形態では下部支持部１５は２本の円筒状の部材となっているが、これに限定されない。そして、第４接合バー１３ｄと第３接合バー１３ｃと上下方向の中間部の左右方向には後部支持部１６が設けられている。なお、本実施形態では後部支持部１６は３本の円筒状の部材となっているが、これに限定されない。保持体１の前面には、キャビネット４と保持体１を一体に見せ、且つ気流発生装置２で発生する収納空間４１内部の臭気がより一層外部に漏れ難くするための任意の構成部材である化粧パネル１８が設けられている。
【００３６】
上部左バー１２ａと上部右バー１２ｃには、ガイドレール部４２とガイドされるガイド部１７が設けられる。ガイド部１７は保持体１の外側に突出する略矩形体となり、材質は樹脂製となっているが、これに限定されない。
【００３７】
上部前バー１２ｂと上部後バー１２ｄには、前後方向に架設され左右方向に移動できるスライド部５が設けられている。スライド部５は上部前バー１２ｂと上部後バー１２ｄとをスライド自在に係合するバー係合部５１とごみ袋を係止するごみ袋係止部５２とを、スライド部５の前後に備えている。またごみ袋を保持するごみ袋保持バー５３が設けられており、ごみ袋保持バー５３はバー係合部５１と嵌合している。
【００３８】
バー係合部５１とごみ袋係止部５２とは図５に示す形状をしている。バー係合部５１は上部前バー１２ｂもしくは上部後バー１２ｄと係合し係合部がＣ字状をしている。またごみ袋係止部５２は、略矩形体となっており、ごみ袋係止部５２の上部右バー１２ｃの中心側方向の先端には、回動をし易くするための摘まみ部５４が設けられている。バー係合部５１とごみ袋係止部５２とはピンが挿通されることにより接続され、ごみ袋係止部５２はピンを中心に回動される。この回動により、ごみ袋をごみ袋保持バー５３とごみ袋係止部５２とで挟着させることができる。
【００３９】
スライド部５を設けることにより、ごみ袋を保持体１に備えることができ、また、左右方向に自在に移動できるので、ごみ袋の開口の大きさに合わせることができる。
【符号の説明】
【００４０】
１    保持体
１７  ガイド部
１８  化粧パネル
２    気流発生装置
３    静電霧化装置
４    キャビネット
４１  収納空間
４２  ガイドレール部
５    スライド部
６    ごみ収容体
【図１】
0006273638.tif 000002
【図２】
0006273638.tif 000003
【図３】
0006273638.tif 000004
【図４】
0006273638.tif 000005
【図５】
0006273638.tif 000006